(57)【要約】【課題】複数の移動体の各々において搭載されている機器の設定を、搭乗者に応じて決定する。【解決手段】移動体搭載機器設定システム（１）は、一又は複数の機器を夫々搭載すると共に、種別を示す種別情報（２３１、３３１）を夫々格納する複数の移動体（２０、３０）と、搭載された機器に夫々対応する複数の機器情報（１３３）を、種別毎にまとめて格納すると共に、複数の搭乗者に夫々対応する複数の搭乗者情報（１３１、１３２）を格納するサーバ手段とを備える。搭乗者が移動体に搭乗した際に、サーバ手段において、機器情報及び搭乗者情報に基づいて移動体に搭載された機器の設定が決定され、移動体において、該決定された設定になるように搭載されている機器が自動的に制御される。【選択図】図１
2009208592.tif 000002
【特許請求の範囲】
【請求項１】
一又は複数の機器を夫々搭載すると共に、種別を示す種別情報を夫々格納する複数の移動体と、
前記搭載された機器に夫々対応する複数の機器情報を、前記種別毎にまとめて格納すると共に、複数の搭乗者に夫々対応する複数の搭乗者情報を格納するサーバ手段と
を備え、
前記複数の移動体のうち一の移動体に、前記複数の搭乗者のうち一の搭乗者が搭乗した際に、
前記一の移動体は、前記一の搭乗者を示す搭乗者識別情報を取得し、更に、前記サーバ手段に対し、前記取得された搭乗者識別情報、及び前記一の移動体に格納された種別情報を送信し、
前記サーバ手段は、前記送信された搭乗者識別情報に基づいて、前記格納された複数の搭乗者情報から前記一の搭乗者に対応する搭乗者情報を特定すると共に、前記送信された種別情報に基づいて、前記格納された複数の機器情報から前記一の移動体に対応する機器情報を特定し、更に、前記特定された搭乗者情報及び前記特定された機器情報に基づいて、前記一の移動体に搭載された機器の設定を決定して、前記一の移動体に対し、前記決定された設定を示す第１設定情報を送信し、
前記一の移動体は、前記送信された第１設定情報に基づいて、前記一の移動体に搭載された機器を制御する
ことを特徴とする移動体搭載機器設定システム。
【請求項２】
前記複数の搭乗者情報は、夫々対応付けられている搭乗者の身体に係る身体情報及び嗜好に係る嗜好情報を含むことを特徴とする請求項１に記載の移動体搭載機器設定システム。
【請求項３】
前記身体情報は、身長を含むことを特徴とする請求項２に記載の移動体搭載機器設定システム。
【請求項４】
前記サーバ手段は、前記特定された搭乗者情報に含まれる嗜好情報、及び前記特定された機器情報に基づいて、前記一の移動体に搭載された機器の設定を決定することを特徴とする請求項２又は３に記載の移動体搭載機器設定システム。
【請求項５】
前記サーバ手段は、前記特定された搭乗者情報に含まれる身体情報、及び前記特定された機器情報に基づいて、前記一の移動体に搭載された機器の設定を決定することを特徴とする請求項２又は３に記載の移動体搭載機器設定システム。
【請求項６】
前記一の移動体は、前記一の搭乗者によって前記一の移動体に搭載された機器の設定が変更された際に、前記サーバ手段に対し、前記変更された設定を示す第２設定情報を送信し、
前記サーバ手段は、前記送信された第２設定情報に基づいて、前記一の搭乗者に対応する搭乗者情報を更新する
ことを特徴とする請求項１乃至５のいずれか一項に記載の移動体搭載機器設定システム。
【請求項７】
前記一の移動体は、更に、前記一の搭乗者の搭乗位置を検出して、前記サーバ手段に対し、前記検出された搭乗位置を示す搭乗位置情報を送信し、
前記サーバ手段は、更に、前記送信された搭乗位置情報に基づいて、前記一の移動体に搭載された機器の設定を決定する
ことを特徴とする請求項１乃至６のいずれか一項に記載の移動体搭載機器設定システム。
【請求項８】
前記機器は、シート、音響装置、空調装置、及びナビゲーション装置のうち少なくとも一つ含むことを特徴とする請求項１乃至７のいずれか一項に記載の移動体搭載機器設定システム。
【請求項９】
一又は複数の機器を夫々搭載すると共に、種別を示す種別情報を夫々格納する複数の移動体を備える移動体搭載機器設定システム用サーバ装置であって、
前記搭載された機器に夫々対応する複数の機器情報を、前記種別毎にまとめて格納すると共に、複数の搭乗者に夫々対応する複数の搭乗者情報を格納する記憶手段と、
前記複数の移動体のうち一の移動体に、前記複数の搭乗者のうち一の搭乗者が搭乗した際に、
前記一の移動体から送信される、前記一の搭乗者を示す搭乗者識別情報、及び前記一の移動体に格納された種別情報を受け付け可能な受付手段と、
前記受け付けられた搭乗者識別情報に基づいて、前記格納された複数の搭乗者情報から前記一の搭乗者に対応する搭乗者情報を特定すると共に、前記受け付けられた種別情報に基づいて、前記格納された複数の機器情報から前記一の移動体に対応する機器情報を特定する特定手段と、
前記特定された搭乗者情報及び前記特定された機器情報に基づいて、前記一の移動体に搭載された機器の設定を決定する決定手段と
を備えることを特徴とする移動体搭載機器設定システム用サーバ装置。
【発明の詳細な説明】
【技術分野】
【０００１】
本発明は、例えばインターネット等のネットワークを利用して、車両等の移動体に搭載されている機器の設定を、移動体に搭乗する搭乗者に応じて自動的に行う移動体搭載機器設定システム、及び移動体搭載機器設定システム用サーバ装置の技術分野に関する。
【背景技術】
【０００２】
この種のシステムでは、搭乗者が移動体に搭乗した際に行う、例えばシート、空調装置等の移動体に搭載されている機器の設定に係る設定操作の負担軽減が図られる。例えば、特許文献１には、個人情報、個別設定情報及び共通設定情報をプロファイル情報として格納するＩＣカードからプロファイル情報を読み出し、該読み出されたプロファイル情報に基づいて、車両の各設備を制御することにより、搭乗者の好みのドライブ環境を提供する技術が記載されている。
【０００３】
【特許文献１】特開２００２−１０４１０５号公報
【発明の開示】
【発明が解決しようとする課題】
【０００４】
しかしながら上述の背景技術によれば、例えば搭乗者が複数の車両を所有する場合には、車両毎にＩＣカードを用意しなければならないという技術的問題点がある。
【０００５】
本発明は、例えば上記問題点に鑑みてなされたものであり、複数の移動体の各々において搭載されている機器の設定を、搭乗者に応じて決定することができる移動体搭載機器設定システムを提供することを課題とする。
【課題を解決するための手段】
【０００６】
本発明の移動体搭載機器設定システムは、上記課題を解決するために、一又は複数の機器を夫々搭載すると共に、種別を示す種別情報を夫々格納する複数の移動体と、前記搭載された機器に夫々対応する複数の機器情報を、前記種別毎にまとめて格納すると共に、複数の搭乗者に夫々対応する複数の搭乗者情報を格納するサーバ手段とを備え、前記複数の移動体のうち一の移動体に、前記複数の搭乗者のうち一の搭乗者が搭乗した際に、前記一の移動体は、前記一の搭乗者を示す搭乗者識別情報を取得し、更に、前記サーバ手段に対し、前記取得された搭乗者識別情報、及び前記一の移動体に格納された種別情報を送信し、前記サーバ手段は、前記送信された搭乗者識別情報に基づいて、前記格納された複数の搭乗者情報から前記一の搭乗者に対応する搭乗者情報を特定すると共に、前記送信された種別情報に基づいて、前記格納された複数の機器情報から前記一の移動体に対応する機器情報を特定し、更に、前記特定された搭乗者情報及び前記特定された機器情報に基づいて、前記一の移動体に搭載された機器の設定を決定して、前記一の移動体に対し、前記決定された設定を示す第１設定情報を送信し、前記一の移動体は、前記送信された第１設定情報に基づいて、前記一の移動体に搭載された機器を制御する。
【０００７】
本発明の移動体搭載機器設定システムによれば、例えば自動車、電車、飛行機等の複数の移動体は、例えばシート、音響装置、照明装置等の一又は複数の機器を夫々搭載すると共に、種別を示す種別情報を、例えばフラッシュメモリ等の不揮発性メモリに夫々格納する。言い換えれば、移動体は、メモリ等の格納手段或いは記憶手段を夫々有する。本発明に係る「種別」は、移動体の種別を意味し、例えば車種、型番等の個々を特定可能な情報であることが望ましいが、例えば自動車では、セダンタイプ、ワゴンタイプ、トラック等の区分であってもよい。
【０００８】
例えば大容量記憶装置などの記憶手段、プロセッサなどの処理手段等を備えてなるサーバ手段は、移動体に搭載された機器に夫々対応する複数の複数の機器情報を、種別毎にまとめて格納すると共に、複数の搭乗者に夫々対応する複数の搭乗者情報を格納する。ここで、本発明に係る「機器情報」は、典型的には、機器を示す情報と設定可能な項目を示す情報とを含んでいる。具体的には例えば、シートであれば、「シート」という機器を示す情報と、「背もたれの角度」、「座面の高さ」等の設定可能な項目とを含んでいる。「機器情報」は、更に、移動体における機器の位置を示す情報や、例えば壁面、他の機器等の周辺部材との位置関係を示す情報等を含んでいてもよい。
【０００９】
また、本発明に係る「搭乗者情報」は、例えばＩＤ番号等の搭乗者を示す情報と、例えば身長、胸囲、座高等の搭乗者の身体的特徴を示す情報と、例えば、シートの背もたれの角度、空調の設定温度、スピーカの音量等の搭乗者の嗜好を示す情報とを含んでいる。尚、搭乗者情報は、例えば、搭乗者が当該システムを初めて利用する際に入力又は登録すればよい。また、嗜好を示す情報は、例えば移動体の種別毎に設けられていてもよい。
【００１０】
複数の移動体のうち一の移動体に、複数の搭乗者のうち一の搭乗者が搭乗した際に、一の移動体は、一の搭乗者を示す搭乗者識別情報を取得する。ここに、本発明に係る「搭乗者識別情報」とは、例えばＩＤ番号、指紋、網膜等、個人認証に必要な情報、又は個人を特定可能な情報を意味する。或いは、当該システム内における搭乗者を示す情報を意味する。前者の場合は、典型的には、サーバ手段において搭乗者を認証又は特定し、後者の場合は、典型的には、移動体において搭乗者を認証又は特定する。尚、搭乗者識別情報は、例えばカードリーダ、指紋読取装置等を介して取得すればよい。
【００１１】
次に、一の移動体は、サーバ手段に対し、取得された搭乗者識別情報、及び一の移動体に格納された種別情報を送信する。サーバ手段は、送信された搭乗者識別情報に基づいて、格納手段等に既に格納されている複数の搭乗者情報から一の搭乗者に対応する搭乗者情報を特定或いは抽出する。尚、サーバ手段において、搭乗者を認証又は特定する場合は、搭乗者情報の特定に先立って、搭乗者の認証又は特定が行われる。
【００１２】
サーバ手段は、更に、送信された種別情報に基づいて、格納手段等に既に格納されている複数の機器情報から一の移動体に対応する機器情報を特定或いは抽出する。続いて、サーバ手段は、特定された搭乗者情報、及び特定された機器情報に基づいて、一の移動体に搭載された機器の設定を決定する。具体的には例えば、搭乗者情報に含まれる嗜好を示す情報に、送信された種別情報が示す種別に対応する機器に係る設定が含まれていれば、該設定を特定された機器情報に示す機器の設定として決定する。
【００１３】
或いは、嗜好を示す情報に送信された種別情報が示す種別に対応する機器に係る設定が含まれていない場合に、嗜好を示す情報に類似する種別に対応する機器に対応する設定が含まれていれば、例えば該設定を補正して、特定された機器情報に示す機器の設定として決定する。
【００１４】
或いは、嗜好を示す情報に送信された種別情報が示す種別に対応する機器に係る設定が含まれていない場合、搭乗者情報に含まれる身体的特徴を示す情報、及び特定された機器情報から、搭乗者にとって適切であると推定される設定値を演算して、又はリファレンス値から特定して、該演算又は特定された設定値を特定された機器情報に示す機器の設定として決定する。尚、「リファレンス値」は、固定値であってもよいし、例えば複数の搭乗者情報等のパラメータに応じて変化する可変値であってもよい。
【００１５】
次に、サーバ手段は、一の移動体に対し、決定された設定を示す第１設定情報を送信する。一の移動体は、送信された第１設定情報に基づいて、一の移動体に搭載された機器を制御する。
【００１６】
仮に、各移動体に搭乗者情報（例えば搭乗者を示す情報、嗜好を示す情報等）が格納されていると、例えばレンタカー等、普段搭乗しない移動体、或いは、例えば飛行機等、同一の移動体に繰り返し搭乗することが稀な移動体に搭乗する場合、搭乗した移動体には対応する搭乗者情報が格納されていないので、搭乗した際に、搭乗者が手動で設定を行わなければならない。
【００１７】
しかるに本発明では、サーバ手段に搭乗者識別情報を送信すれば、サーバ手段によって、搭乗者に応じた設定が決定され、該決定された設定に基づいて、移動体に搭載されている機器が自動的に制御される。従って、複数の移動体の各々において搭載されている機器の設定を、搭乗者に応じて決定することができ、搭乗者の設定操作の負担を軽減することができる。
【００１８】
本発明の移動体搭載機器設定システムの一態様では、前記複数の搭乗者情報は、夫々対応付けられている搭乗者の身体に係る身体情報及び嗜好に係る嗜好情報を含む。
【００１９】
この態様によれば、嗜好情報を含んでいるので、比較的容易にして搭乗者の嗜好を反映させた設定を決定することができる。また、嗜好情報が不十分である場合にも、身体情報から搭乗者にとって適切であると推定される設定を決定することができる。特に、身体情報は、例えば自動車におけるドアミラーの角度、シートの位置や高さ等、搭乗者の身体的な特徴（例えば、身長等）と密接に関連する機器の設定を決定する際に有用である。
【００２０】
搭乗者情報が身体情報及び嗜好情報を含む態様では、前記身体情報は、身長を含んでよい。
【００２１】
このように構成すれば、比較的容易にして、搭乗者の身体的な特徴と密接に関連する機器の設定を決定することができる。また、身長を示す情報を取得できれば、比較的容易にして、その身長に対する標準的な手足の長さ、座高等に関する情報を取得することができる。
【００２２】
搭乗者情報が身体情報及び嗜好情報を含む態様では、前記サーバ手段は、前記特定された搭乗者情報に含まれる嗜好情報、及び前記特定された機器情報に基づいて、前記一の移動体に搭載された機器の設定を決定してよい。
【００２３】
このように構成すれば、比較的容易にして、搭乗者の嗜好を反映させた設定を決定することができる。
【００２４】
或いは、搭乗者情報が身体情報及び嗜好情報を含む態様では、前記サーバ手段は、前記特定された搭乗者情報に含まれる身体情報、及び前記特定された機器情報に基づいて、前記一の移動体に搭載された機器の設定を決定してよい。
【００２５】
このように構成すれば、比較的容易にして、搭乗者にとって適切であると推定される設定を決定することができる。
【００２６】
本発明の移動体搭載機器設定システムの他の態様では、前記一の移動体は、前記一の搭乗者によって前記一の移動体に搭載された機器の設定が変更された際に、前記サーバ手段に対し、前記変更された設定を示す第２設定情報を送信し、前記サーバ手段は、前記送信された第２設定情報に基づいて、前記一の搭乗者に対応する搭乗者情報を更新する。
【００２７】
この態様によれば、一の移動体は、一の搭乗者によって一の移動体に搭載された機器の設定が変更された際に、サーバ手段に対し、変更された設定を示す第２設定情報を送信する。ここで、「設定が変更された際」とは、設定が変更された直後であってもよいし、設定が変更されてから所定時間経過後であってもよい。
【００２８】
サーバ手段は、送信された第２設定情報に基づいて、一の搭乗者に対応する搭乗者情報を更新する。これにより、搭乗者の嗜好をフィードバックすることができ、サーバ手段が、より適切に機器の設定を決定することができる。
【００２９】
本発明の移動体搭載機器設定システムの他の態様では、前記一の移動体は、更に、前記一の搭乗者の搭乗位置を検出して、前記サーバ手段に対し、前記検出された搭乗位置を示す搭乗位置情報を送信し、前記サーバ手段は、更に、前記送信された搭乗位置情報に基づいて、前記一の移動体に搭載された機器の設定を決定する。
【００３０】
この態様によれば、一の移動体は、一の搭乗者の搭乗位置を検出する。尚、搭乗位置の検出は、例えば、移動体の各座席に、例えばカードリーダ等の読取装置を設置して、どの読取装置によって搭乗者識別情報が取得されたかを検出して行えばよい。或いは、例えばカメラによって移動体の室内を撮影し、撮影された画像を解析して行えばよい。
【００３１】
一の移動体は、サーバ手段に対し、検出された搭乗位置を示す搭乗位置情報を送信する。サーバ手段は、送信された搭乗者識別情報、及び送信された種別情報に加えて、送信された搭乗位置情報に基づいて、一の移動体に搭載された機器の設定を決定する。これにより、例えば、検出された搭乗位置に応じて、設定する機器を変更したり、スピーカの出力のバランスを変更したりすることができる。
【００３２】
本発明の移動体搭載機器設定システムの他の態様では、前記機器は、シート、音響装置、空調装置、及びナビゲーション装置のうち少なくとも一つ含む。
【００３３】
この態様によれば、移動体の室内の居住性に影響を与える機器、或いは視認性に影響を与える機器の設定を自動的に行うことができ、実用上非常に有利である。
【００３４】
本発明の移動体搭載機器設定システム用サーバ装置は、上記課題を解決するために、一又は複数の機器を夫々搭載すると共に、種別を示す種別情報を夫々格納する複数の移動体を備える移動体搭載機器設定システム用サーバ装置であって、前記搭載された機器に夫々対応する複数の機器情報を、前記種別毎にまとめて格納すると共に、複数の搭乗者に夫々対応する複数の搭乗者情報を格納する記憶手段と、前記複数の移動体のうち一の移動体に、前記複数の搭乗者のうち一の搭乗者が搭乗した際に、前記一の移動体から送信される、前記一の搭乗者を示す搭乗者識別情報、及び前記一の移動体に格納された種別情報を受け付け可能な受付手段と、前記受け付けられた搭乗者識別情報に基づいて、前記格納された複数の搭乗者情報から前記一の搭乗者に対応する搭乗者情報を特定すると共に、前記受け付けられた種別情報に基づいて、前記格納された複数の機器情報から前記一の移動体に対応する機器情報を特定する特定手段と、前記特定された搭乗者情報及び前記特定された機器情報に基づいて、前記一の移動体に搭載された機器の設定を決定する決定手段とを備える。
【００３５】
本発明の移動体搭載機器設定システム用サーバ装置によれば、例えばハードディスクドライブ等の記憶手段は、移動体に搭載された機器に夫々対応する複数の機器情報を、移動体の種別毎にまとめて格納すると共に、複数の搭乗者に夫々対応する複数の搭乗者情報を格納する。例えばメモリ、プロセッサ等を備えてなる受付手段は、複数の移動体のうち一の移動体に、複数の搭乗者のうち一の搭乗者が搭乗した際に、一の移動体から送信される一の搭乗者を示す搭乗者識別情報、及び一の移動体に格納された種別情報を受け付け可能である。
【００３６】
例えばメモリ、プロセッサ等を備えてなる特定手段は、受け付けられた搭乗者識別情報に基づいて、一の搭乗者に対応する搭乗者情報を特定すると共に、受け付けられた種別情報に基づいて、一の移動体に対応する機器情報を特定する。例えばメモリ、プロセッサ等を備えてなる決定手段は、特定された搭乗者情報及び特定された機器情報に基づいて、一の移動体に搭載された機器の設定を決定する。
【００３７】
このため、各移動体に対し、夫々決定された設定を送信すれば、比較的容易にして搭乗者に応じた設定を自動的に決定することができる。従って、複数の移動体の各々において搭載されている機器の設定を、搭乗者に応じて決定することができる。
【００３８】
本発明の作用及びその他の利得は次に説明する実施するための最良の形態から明らかにされよう。
【発明を実施するための最良の形態】
【００３９】
以下、本発明に係る移動体搭載機器設定システムに係る実施形態を図面に基づいて説明する。尚、以下の実施形態では、本発明に係る移動体の一例として車両を挙げる。
【００４０】
＜第１実施形態＞
本発明の移動体搭載機器設定システムに係る第１実施形態を、図１乃至図１２を参照して説明する。
【００４１】
先ず、本実施形態に係る移動体搭載機器設定システムの全体構成について、図１を参照して説明する。ここに、図１は、本実施形態に係る移動体搭載機器設定システムの全体構成を示す模式図である。
【００４２】
図１において、移動体搭載機器設定システム１は、本発明に係る「サーバ手段」の一例としてのサーバ装置１０、車両２０及び３０、並びに、例えばパーソナルコンピュータ等の端末４０を備えて構成されている。車両２０及び３０、並びに端末４０の各々は、例えば無線等を介してサーバ装置１０に接続されている。尚、図１におけるｒ１乃至ｒ３は、通信リンクを示している。
【００４３】
次に、サーバ装置１０の構成について、図２を参照して説明する。ここに、図２は、本実施形態に係るサーバ装置の構成を示すブロック図である。
【００４４】
図２において、サーバ装置１０は、制御部１１、認証部１２、記憶部１３、設定情報解析部１４、暗号復号化部１５及び通信部１６を備えて構成されている。ここに、本実施形態に係る「記憶部１３」及び「通信部１６」は、夫々、本発明に係る「記憶手段」及び「受付手段」の一例である。また、本実施形態に係る「設定情報解析部１４」は、本発明に係る「特定手段」及び「決定手段」の一例である。
【００４５】
記憶部１３には、個人身体情報１３１、個人嗜好情報１３２、車載機器情報１３３及びリファレンス値１３４が格納されている。ここに、本実施形態に係る「個人身体情報１３１」、「個人嗜好情報１３２」及び「車載機器情報１３３」は、夫々、本発明に係る「身体情報」、「嗜好情報」及び「機器情報」の一例である。
【００４６】
個人身体情報１３１は、図３に示すように、本発明に係る「搭乗者」の一例としての移動体搭載機器設定システム１のユーザ毎に、例えば身長、体重、座高等の身体に係る情報を含んでいる。ここに、図３は、本実施形態に係る個人身体情報の一例を示す概念図である。尚、図中の「−」は、情報が未蓄積であることを示している。
【００４７】
個人身体情報１３１に含まれる身体に係る情報は、ユーザが移動体搭載機器設定システム１を初めて使用する際に、例えば、搭乗した車両２０又は３０、或いは端末４０を介して入力すればよい。端末４０を介する入力は、例えばレンタカーの申し込みと同時に、或いは、例えば航空券等の予約と同時に行えば、ユーザの手間を軽減することができる。
【００４８】
個人嗜好情報１３２は、図４に示すように、ユーザ毎、車種毎に、例えばシート、ミラー等の機器の設定値を含んでいる。ここに、図４は、本実施形態に係る個人嗜好情報の一例を示す概念図である。尚、本実施形態に係る「車種」は、本発明に係る「種別」の一例である。また、図中の「−」は、情報が未蓄積又は設定不可能な項目であることを示している。
【００４９】
個人嗜好情報１３２に含まれる設定値は、ユーザが予め端末４０を介して入力すればよい、或いは、ユーザが初めて車両２０又は３０に搭乗した際に設定された設定値を、対応する車種の設定値とすればよい。
【００５０】
車載機器情報１３３は、図５に示すように、車種毎に、例えばシート、ミラー等の機器情報を含んでいる。車載機器情報１３３は、更に、例えば下位ファイルとして、例えばエアコンの吹出口、スピーカ等の各車両２０及び３０の座席毎に対応して設けられている機器用の、図６に示すような、車載機器詳細情報１３３ａを含んでいる。ここに、図５は、本実施形態に係る車載機器情報の一例を示す概念図であり、図６は、本実施形態に係る車載機器詳細情報の一例を示す概念図である。尚、図中の「○」は、機器が搭載されている又は設定可能であることを示しており、「×」は、機器が搭載されていない又は設定不可能であることを示している。
【００５１】
リファレンス値１３４は、図７に示すように、車種毎、身体的特徴毎に、例えばシート、ミラー等の機器の設定値を含んでいる。ここに、図７は、本実施形態に係るリファレンス値の一例を示す概念図である。このようなリファレンス値は、例えば製造者が想定する人体モデルに適する値として設定すればよい。或いは、例えば製造者が予め定めた固定値に、記憶部１３に格納されている個人身体情報１３１及び個人嗜好情報１３２に夫々含まれる情報を反映して求められる値として設定すればよい。
【００５２】
次に、車両２０及び３０の構成について、図８を参照して説明する。ここに、図８は、本実施形態に係る車両の構成を示すブロック図である。尚、車両２０と車両３０とは、車種又は所有者が異なる以外は、同様の構成であるため、車両３０の構成要素については、図中に括弧書で示している。
【００５３】
図８において、車両２０（３０）は、制御部２１（３１）、認証部２２（３２）、記憶部２３（３３）、入力部２４（３４）、暗号復号化部２５（３５）、通信部２６（３６）、車載機器設定部２７（３７）及び車載機器調整部２８（３８）を備えて構成されている。記憶部２３（３３）には、本発明に係る「種別情報」の一例としての車種情報２３１（３３１）が格納されている。
【００５４】
車両２０（３０）は、更に、シート２０１（３０１）、エアコン２０２（３０２）、オーディオ２０３（３０３）、ミラー２０４（３０４）、ハンドル２０５（３０５）、読取装置２０６（３０６）及びカーナビ２０７（３０７）を備えて構成されている。例えばカードリーダ、指紋読取装置等である読取装置２０６（３０６）は、各座席（即ち、運転席、助手席、右後部座席及び左後部座席）に対応して夫々設けられている。尚、本実施形態に係る「エアコン２０２（３０２）」、「オーディオ２０３（３０３）」及び「カーナビ２０７（３０７）」は、夫々、本発明に係る「空調装置」、「音響装置」及び「ナビゲーション装置」の一例である。
【００５５】
シート２０１（３０１）は、運転席用シート２０１ｄ（３０１ｄ）、助手席用シート２０１ｎ（３０１ｎ）及び後部座席用シート２０１ｒ（３０１ｒ）を含んでいる。エアコン２０２（３０２）は、温度設定部２０２ａ（３０２ａ）及び複数の吹出口２０２ｂ（３０２ｂ）を含んでいる。オーディオ２０３（３０３）は、音量設定部２０３ａ（３０３ａ）、複数のフロントスピーカ２０３ｆ（３０３ｆ）及び複数のリアスピーカ２０３ｒ（３０３ｒ）を含んでいる。
【００５６】
（搭載機器設定処理）
次に、以上のように構成された移動体搭載機器設定システム１において、ユーザ５０（図１参照）が、車両２０に搭乗した際に実行される搭載機器設定処理を、図９のタイミングチャートを参照して説明する。
【００５７】
図９において、先ず、車両２０における制御部２１は、読取装置２０６を介して、例えばＩＤカード番号、指紋等のユーザ５０に係る識別情報を取得するように入力部２４を制御する（ステップＳ１０１）。この際、制御部２１は、識別情報が入力された読取装置２０６に対応する座席を、ユーザ５０の位置情報として取得する。
【００５８】
次に、制御部２１は、取得された識別情報、位置情報及び車種情報２３１を暗号化するように暗号復号化部２５を制御する。続いて、制御部２１は、サーバ装置１０に対し、暗号化された識別情報、位置情報及び車種情報を、図１０に示すようなデータテーブル４１０として、通信部２６を介して送信する（ステップＳ１０２）。ここに、図１０は、本実施形態に係る識別情報等を含むデータテーブルの一例を示す概念図である。尚、図１０に示すように、サーバ装置１０に送信される段階では、ユーザが特定されておらず、例えばＩＤカード番号、指紋等を示す情報等がデータテーブル４１０に含まれている。
【００５９】
次に、サーバ装置１０における制御部１１は、送信されたデータテーブル４１０を復号化するように暗号復号化部１５を制御する。続いて、制御部１１は、復号化されたデータテーブル４１０に含まれる識別情報と、記憶部１３に格納されている認証情報（図示せず）とを照合するように認証部１２を制御する（ステップＳ１０３）。
【００６０】
照合の結果、認証情報に、識別情報に該当する該当する情報が含まれていれば、ユーザが特定されることとなる。一方、認証情報に、識別情報に該当する情報が含まれていない場合、制御部２１は、車両２０に対し、例えば認証が失敗したことを示す信号を送信する。該送信された信号を受信した車両２０における制御部２１は、ユーザ５０に対し、例えば識別情報の再入力を促す旨の通知を、スピーカ２０３ｆ及び２０３ｒを介して通知する。
【００６１】
次に、制御部１１は、特定されたユーザ（ここでは、「Ａ」）に対応する個人身体情報及び個人嗜好情報を取得するように設定情報解析部１４を制御する（ステップＳ１０４）。続いて、制御部１１は、復号化されたデータテーブル４１０を参照して、該データテーブル４１０に含まれている車種情報（ここでは、「○○○」）及び位置情報（ここでは、「運転席」）に対応する車載機器情報を取得するように設定情報解析部１４を制御する（ステップＳ１０５）。
【００６２】
次に、制御部１１は、取得された個人身体情報、個人嗜好情報及び車載機器情報に基づいて、車両２０に搭載されている機器の設定を決定するように設定情報解析部１４を制御する（ステップＳ１０６）。具体的には例えば、取得された個人嗜好情報に、取得された車載機器情報に含まれる機器に対応する設定値が含まれている場合、設定情報解析部１４は、該含まれている設定値を機器の設定値として決定する。対応する設定値が含まれていない場合、設定情報解析部１４は、取得された個人身体情報及びリファレンス値１３４に基づいて、取得された車載機器情報に含まれる機器に対応する設定値を決定する。
【００６３】
尚、本実施形態に係る移動体搭載機器設定システム１では、個人嗜好情報１３２を優先させるか、リファレンス値１３４を優先させるかは、ユーザ５０によって設定可能に構成されている。リファレンス値１３４を優先させる場合は、取得された個人嗜好情報に、取得された車載機器情報に含まれる機器に対応する設定値が含まれているか否かにかかわらず、設定情報解析部１４は、取得された個人身体情報及びリファレンス値１３４に基づいて、取得された車載機器情報に含まれる機器に対応する設定値を決定する。
【００６４】
次に、制御部１１は、決定された設定値を暗号化するように暗号復号化部１５を制御する。続いて、制御部１１は、車両２０に対し、暗号化された設定値を、図１１に示すようなデータテーブル４２０として、通信部１６を介して送信する（ステップＳ１０７）。ここに、図１１は、本実施形態に係る決定された設定値を含むデータテーブルの一例を示す概念図である。尚、本実施形態に係る「データテーブル４２０に含まれる設定値」は、本発明に係る「第１設定情報」の一例である。
【００６５】
次に、車両２０における制御部２１は、送信されたデータテーブル４２０を復号化するように暗号復号化部２５を制御する。続いて、制御部２１は、復号化されたデータテーブル４２０を参照して、シート２０１等の設定値を決定するように車載機器設定部２７を制御する。続いて、制御部２１は、車載機器設定部２７によって決定された設定値になるように、シート２０１等を駆動するように車載機器調整部２８を制御する（ステップＳ１０８）。
【００６６】
本実施形態では、ユーザ５０が車両３０に搭乗した際にも、同様の処理が実行され、車両３０におけるシート３０１等の設定が、ユーザ５０に適するように自動的に決定される。従って、仮にユーザ５０が車両３０に初めて搭乗する場合であっても、ユーザ５０が識別情報を入力しさえすれば、車両３０に搭載されている機器の設定を、ユーザ５０に適した設定とすることができる。
【００６７】
（フィードバック処理）
次に、移動体搭載機器設定システム１において、ユーザ５０が、車両２０に搭乗し、手動でシート２０１等の車載機器の設定を変更した際に実行されるフィードバック処理を、図１２のタイミングチャートを参照して説明する。
【００６８】
図１２において、先ず、車両２０における制御部２１は、ユーザ５０によって設定が変更されたことによって、シート２０１等の設定値が、車載機器設定部２７によって決定された設定値と異なっていることを検出して、シート２０１等の車載機器の設定が変更されたことを検出する（ステップＳ２０１）。
【００６９】
次に、制御部２１は、シート２０１等の車載機器の設定値を取得する。続いて、制御部２１は、取得された設定値、ユーザ情報及び車種情報を暗号化するように暗号復号化部２５を制御する。続いて、制御部２１は、サーバ装置１０に対し、本発明に係る「第２設定情報」の一例としての暗号化された設定値等を、通信部２６を介して送信する（ステップＳ２０２）。尚、送信される設定値等は、例えば図１１に示すデータテーブル４２０と同様のデータテーブルとして送信される。
【００７０】
次に、サーバ装置１０における制御部１１は、送信された設定値を復号化するように暗号復号化部１５を制御する。続いて、制御部１１は、復号化された設定値に基づいて、対応する個人嗜好情報を更新する（ステップＳ２０３）。
【００７１】
＜第２実施形態＞
次に、本発明の移動体搭載機器設定システムに係る第２実施形態を、図１３及び図１４を参照して説明する。第２実施形態では、車両において認証が行われる以外は、第１実施形態と同様である。よって、第２実施形態について、第１実施形態と重複する説明を省略すると共に、図面上における共通箇所には同一符号を付して示し、基本的に異なる点についてのみ、図１３及び図１４を参照して説明する。ここに、図１３は、図９と同趣旨の、本実施形態に係る搭載機器設定処理を示すタイミングチャートである。
【００７２】
図１３において、ユーザ５０に係る識別情報が取得された（ステップＳ１０１）後に、制御部２１は、取得された識別情報と、記憶部２３に格納されている認証情報（図示せず）とを照合するように認証部２２を制御する（ステップＳ３０１）。尚、ステップＳ３０１の処理において、照合の結果、認証情報に取得された識別情報に該当する情報が含まれていない場合、制御部２１は、ユーザ５０に対し、例えば識別情報の再入力を促す旨の通知を、スピーカ２０３ｆ及び２０３ｒを介して通知する。或いは、制御部２１は、認証をサーバ装置１０で実行するように、取得された識別情報を暗号復号化部２５によって暗号化させた後に、サーバ装置１０に対し、通信部２６を介して送信する。
【００７３】
次に、制御部２１は、認証後の識別情報、取得された位置情報及び車種情報２３１を暗号化するように暗号復号化部２５を制御する。続いて、制御部２１は、サーバ装置１０に対し、暗号化された識別情報、位置情報及び車種情報を、図１４に示すようなデータテーブル４１０として、通信部２６を介して送信する（ステップＳ３０２）。ここに、図１４は、図１０と同趣旨の、本実施形態に係る識別情報等を含むデータテーブルの一例を示す概念図である。
【００７４】
このように構成すれば、例えば車両２０がユーザ５０によって頻繁に使用される場合に、サーバ装置１０の負荷を軽減することができ、実用上非常に有利である。この場合、車両２０における記憶部２３に、ユーザ５０に対応する個人身体情報及び個人嗜好情報、並びに車両２０に対応する車載機器情報が格納されていてもよい。このように構成すれば、サーバ装置１０の負荷をより軽減することができると共に、車両２０及びサーバ装置１０間の通信時間を省略することができる。
【００７５】
＜第３実施形態＞
次に、本発明の移動体搭載機器設定システムに係る第３実施形態を、図１５及び図１６を参照して説明する。第３実施形態では、個人嗜好情報の構成、及び決定された設定値を含むデータテーブルの構成が異なる以外は、第１実施形態と同様である。よって、第３実施形態について、第１実施形態と重複する説明を省略すると共に、図面上における共通箇所には同一符号を付して示し、基本的に異なる点についてのみ、図１５及び図１６を参照して説明する。ここに、図１５は、図４と同趣旨の、本実施形態に係る個人嗜好情報の一例を示す概念図である。
【００７６】
図１５に示すように、本実施形態に係る個人嗜好情報１３２は、カーナビに係る情報を含んでいる。このカーナビに係る情報は、ユーザ５０が、車両２０又は３０に搭乗する前に、予め端末４０を介して入力すればよい。
【００７７】
個人嗜好情報１３２がカーナビに係る情報を含んでいるため、ユーザ５０が、例えば車両２０に搭乗した際に、サーバ装置１０から車両２０に対し、カーナビに係る情報を含む、例えば図１６に示すようなデータテーブル４２０が送信される。このため、例えばシート２０１等の設定と共に、カーナビ２０７も設定されることとなる。従って、例えばレンタカー等、普段使用しない車両に搭乗した際に、例えばカーナビのマニュアルを参照することなく目的地等の設定ができると共に、搭乗してから発進までの時間の短縮ができ、実用上非常に有利である。
【００７８】
尚、本発明は、上述した実施形態に限られるものではなく、請求の範囲及び明細書全体から読み取れる発明の要旨、或いは思想に反しない範囲で適宜変更可能であり、そのような変更を伴う移動体搭載機器設定システム、及び移動体搭載機器設定システム用サーバ装置もまた、本発明の技術的範囲に含まれるものである。
【図面の簡単な説明】
【００７９】
【図１】第１実施形態に係る移動体搭載機器設定システムの全体構成を示す模式図である。
【図２】第１実施形態に係るサーバ装置の構成を示すブロック図である。
【図３】第１実施形態に係る個人身体情報の一例を示す概念図である。
【図４】第１実施形態に係る個人嗜好情報の一例を示す概念図である。
【図５】第１実施形態に係る車載機器情報の一例を示す概念図である。
【図６】第１実施形態に係る車載機器詳細情報の一例を示す概念図である。
【図７】第１実施形態に係るリファレンス値の一例を示す概念図である。
【図８】第１実施形態に係る車両の構成を示すブロック図である。
【図９】第１実施形態に係る搭載機器設定処理を示すタイミングチャートである。
【図１０】第１実施形態に係る識別情報等を含むデータテーブルの一例を示す概念図である。
【図１１】第１実施形態に係る決定された設定値を含むデータテーブルの一例を示す概念図である。
【図１２】第１実施形態に係るフィードバック処理を示すタイミングチャートである。
【図１３】第２実施形態に係る搭載機器設定処理を示すタイミングチャートである。
【図１４】第２実施形態に係る識別情報等を含むデータテーブルの一例を示す概念図である。
【図１５】第３実施形態に係る個人嗜好情報の一例を示す概念図である。
【図１６】第３実施形態に係る決定された設定値を含むデータテーブルの一例を示す概念図である。
【符号の説明】
【００８０】
１…移動体搭載機器設定システム、１０…サーバ装置、２０、３０…車両、４０…端末、５０…ユーザ
【図１】
2009208592.tif 000003
【図２】
2009208592.tif 000004
【図３】
2009208592.tif 000005
【図４】
2009208592.tif 000006
【図５】
2009208592.tif 000007
【図６】
2009208592.tif 000008
【図７】
2009208592.tif 000009
【図８】
2009208592.tif 000010
【図９】
2009208592.tif 000011
【図１０】
2009208592.tif 000012
【図１１】
2009208592.tif 000013
【図１２】
2009208592.tif 000014
【図１３】
2009208592.tif 000015
【図１４】
2009208592.tif 000016
【図１５】
2009208592.tif 000017
【図１６】
2009208592.tif 000018